(57)【要約】【課題】無線交信器からの光を用いた通信を確実に受信し、他の光を用いた通信を遮蔽する棚札表示器を提供することである。【解決手段】商品の価格表示等を行う表示部６８０と、表示部６８０と同じ側に設けられた受信部６９２とを有する。また、棚札表示器６００ａ，〜，６００ｆの受信部６９２には、遮蔽カバー６２０，６２０ａ，６２０ｂ，６２０ｃが配設され、当該遮蔽カバー６２０，６２０ａ，６２０ｂ，６２０ｃには、受信部６９２の前面に対して傾斜して設けられ、光を遮蔽する傾斜部材６２１、一対の側板６２２，６２３と、上方に設けられたトランシーバ５００ａ，５００ｂからの光を透過する傾斜部材６２１の上端辺、一対の側板６２２，６２３の各一辺で形成される開口部が含まれる。【選択図】図１７
2010069056.tif 000002
【特許請求の範囲】
【請求項１】
店舗内において天井に配設された無線交信器からの光を用いた通信により、前記店舗に陳列された各商品に関する情報を表示し、当該商品の近傍に配置される棚札表示器であって、
前記棚札表示器は、前記商品の価格表示等を行う表示部と、前記表示部と同じ側に設けられた受信部とを有し、
前記棚札表示器の受信部には、
前記受信部の前面に対して傾斜して設けられ、前記受信部に対して前方の光を遮蔽する遮蔽部材と、
前記受信部に対して上方の前記光を透過する透過窓と、を含むカバーが配設されたことを特徴とする棚札表示器。
【請求項２】
前記カバーは、さらに前記遮蔽部材の側方に一対の遮蔽側板を有し、
前記遮蔽部材および前記一対の遮蔽側板は、前記光を前記受信部に集光させるように傾斜して設けられたことを特徴とする請求項１記載の棚札表示器。
【請求項３】
前記一対の遮蔽側板は、前記遮蔽部材の上端部よりも上方において、前記光を透過する透過部を含むことを特徴とする請求項２記載の棚札表示器。
【請求項４】
前記遮蔽部材は、曲面から形成されたことを特徴とする請求項１記載の棚札表示器。
【請求項５】
前記遮蔽部材および前記一対の遮蔽側板の少なくとも内側は、光を反射する反射部材からなることを特徴とする請求項２または請求項４に記載の棚札表示器。
【請求項６】
前記カバーは、上下方向にスライド移動するスライド機構をさらに含むことを特徴とする請求項１から請求項５のいずれか１項に記載の棚札表示器。
【請求項７】
前記カバーは、前記遮蔽部材の角度を調整する角度調整機構をさらに含むことを特徴とする請求項１から請求項６のいずれか１項に記載の棚札表示器。
【請求項８】
前記カバーは、前記受信部に対して前記遮蔽部材よりも外側から覆い、曲面からなる透明カバーをさらに含むことを特徴とする請求項１から請求項８のいずれか１項に記載の棚札表示器。
【発明の詳細な説明】
【技術分野】
【０００１】
本発明は、店舗内において陳列された各商品に関する情報を表示する棚札表示器に関する。
【背景技術】
【０００２】
近年、スーパーマーケットまたはコンビニエンスストア等の店舗においては、ＰＯＳ（Ｐｏｉｎｔ
Ｏｆ Ｓａｌｅｓ）システムが広く用いられている。また、最近では、ＰＯＳシステムに加えて棚札表示器を用いたＥＳＬシステム（ＥｌｅｃｔｒｉｃＳｈｅｌｆ
Ｌａｂｅｌ Ｓｙｓｔｅｍ；電子棚札システム）が採用されつつある。
【０００３】
上記の棚札表示器を用いたＥＳＬシステムを使えば、ＰＯＳターミナルでの実際の販売金額と各商品の棚札表示器の表示金額とを自動的に一致させることができる。その結果、特売等の場合に紙の棚札を付替える作業員の手間が解消されるとともに、棚札の付替えミスや販売金額と表示金額との付替え時間差による金額差がなくなり、顧客の信用を高く維持することができるというメリットがある。そのため、棚札表示器を用いたＥＳＬシステムについて、日々、種々の研究および開発が行われている。
【０００４】
例えば、特許文献１には、閉店時間帯などに商品ケースにナイトカバーを付す店舗において、ＥＳＬシステムの赤外線通信を良好に行わせる棚札表示変更システム、及び店舗システムについて開示されている。
【０００５】
特許文献１記載の棚札表示変更システム、及び店舗システムにおいては、舗内において各商品に関する情報を表示するために、各商品の近傍に配置される複数の棚札表示器と、棚札表示器に対して赤外線通信を行う無線交信機と、
店舗内が赤外線通信を良好に行うことのできる状態となっている赤外線通信良好時間帯に、無線交信機を介して棚札表示器に対して商品に関する情報を送信するサーバーと、を備えることを特徴とするものである。
【０００６】
【特許文献１】特開２００１−１５７６２５号公報
【発明の開示】
【発明が解決しようとする課題】
【０００７】
上記の棚札表示器を用いたＥＳＬシステムにおいては、光を用いた通信が一般的に利用されている。しかしながら、光を用いた通信は、人や物といった障害物によって通信が遮断あるいは妨害されやすいという性質を有している。例えば、棚札表示器の近傍に人や物といった障害物が存在すると光による通信が良好とならない。そのため、棚札表示器を用いたＥＳＬシステムにおいては、棚札表示器に対して光による通信を行うトランシーバを、店舗の天井に設け、棚札表示器との間に障害物を存在させないよう配慮されている。
【０００８】
また、図２０に示すように、電機製品等の販売店舗においては、プラズマテレビ９９０が対向して設けられている場合が多くあり、プラズマテレビ９９０の画面から赤外線ノイズＳＯが放射される。そのため、棚札表示器９９５およびトランシーバ５００ａ，５００ｂの間で赤外線信号ＳＩを送受信する場合、赤外線ノイズＳＯとの混信が生じ、棚札表示器９９５の表示が正確に表示されないという問題が生じる。
【０００９】
本発明の目的は、無線交信器からの光を用いた通信を確実に受信し、他の光を用いた通信を遮蔽する棚札表示器を提供することである。
【課題を解決するための手段】
【００１０】
（１）
本発明に係る棚札表示器は、店舗内において天井に配設された無線交信器からの光を用いた通信により、店舗に陳列された各商品に関する情報を表示し、当該商品の近傍に配置される棚札表示器であって、棚札表示器は、商品の価格表示等を行う表示部と、表示部と同じ側に設けられた受信部とを有し、棚札表示器の受信部には、受信部の前面に対して傾斜して設けられ、受信部に対して前方の光を遮蔽する遮蔽部材と、受信部に対して上方の光を透過する透過窓と、を含むカバーが配設されたものである。
【００１１】
本発明に係る棚札表示器においては、商品の価格表示等を行う表示部と、表示部と同じ側に設けられた受信部とを有する。また、棚札表示器の受信部には、カバーが配設され、当該カバーには、受信部の前面に対して傾斜して設けられ、前方からの光を遮蔽する遮蔽部材と、上方からの光を透過する透過窓と、が含まれる。
【００１２】
この場合、棚札表示器の受信部に設けられたカバーの透過窓により、上方に設けられた無線交信器からの光を透過することができ、棚札表示器の受信部の前面に設けられたカバーの遮蔽部材により、無線交信器以外からの光を遮蔽することができる。その結果、無線交信器からの光を用いた通信を確実に受信することができ、無線交信器以外からの光を遮蔽することができるので、棚札表示器の表示部に商品の価格表示等を確実に表示させることができる。
なお、商品の価格表示等には、商品名、商品の価格、特売品等商品に関する任意の情報が含まれる。また、光を用いた通信には、赤外線通信、可視光線通信等、任意の通信が含まれる。さらに、これらの通信方法として、高輝度ＬＥＤ等を用いて光を送信する通信方法等がある。
【００１３】
（２）
カバーは、さらに遮蔽部材の側方に一対の遮蔽側板を有し、遮蔽部材および一対の遮蔽側板は、光を受信部に集光させるように傾斜して設けられることが好ましい。
【００１４】
この場合、カバーは、遮蔽部材および一対の遮蔽側板を有し、遮蔽部材および一対の遮蔽側板は、光を受信部に集光させるように傾斜して設けられているので、遮蔽部材および一対の遮蔽側板の内側に入光された光が、確実に受信部に集光される。その結果、無線交信器からの光を集光させ、確実な通信を行うことができ、棚札表示器の表示部に商品の価格表示等を確実に表示することができる。
【００１５】
（３）
一対の遮蔽側板は、遮蔽部材の上端部よりも上方において、光を透過する透過部を含んでもよい。
【００１６】
この場合、一対の遮蔽側板は、遮蔽部材の上端部よりも上方において、光を透過する透過部を含んでいるので、透過部を設けない場合と比較して、斜上方から入光された光を遮蔽側板の透過部を透過させて受信部に導光することができる。その結果、無線交信器からの入光量を増加させて確実な通信を行うことができ、棚札表示器の表示部に商品の価格表示等を確実に表示することができる。
【００１７】
（４）
遮蔽部材は、曲面から形成されてもよい。
【００１８】
この場合、遮蔽部材が曲面から形成されるので、曲面の内側を透過する光を集光させることができる。その結果、無線交信器からの光を集光させて確実な通信を行うことができ、棚札表示器の表示部に商品の価格表示等を確実に表示することができる。
【００１９】
（５）
遮蔽部材および前記一対の遮蔽側板の少なくとも内側は、光を反射する反射部材からなってもよい。
【００２０】
この場合、遮蔽部材および前記一対の遮蔽側板の少なくとも内側は、光を反射する反射部材からなるので、上方に設けられた無線交信器からの光が遮蔽部材の内側に照射されて反射し、棚札表示器の受信部に入光させることができる。また、遮蔽部材の外側も反射部材にした場合であっても、無線交信器以外からの光を遮蔽または、外部へ反射させることができる。また、遮蔽部材の外側を吸収部材にした場合であっても、無線交信器以外からの光を遮蔽できる。その結果、入光する光を増加させ、確実な通信を行うことができ、棚札表示器の表示部に商品の価格表示等を確実に表示することができる。
【００２１】
（６）
カバーは、上下方向にスライド移動するスライド機構をさらに含んでもよい。
【００２２】
この場合、カバーは、スライド機構により上下方向にスライドさせることができる。その結果、棚札表示器および無線交信器の位置関係に応じてカバーの遮蔽部材および透過窓を移動することができるので、棚札表示器を移動させた場合であっても、無線交信器からの光だけを有効に受信部に入光させることができる。
【００２３】
（７）
カバーは、遮蔽部材の角度を調整する角度調整機構をさらに含んでもよい。
【００２４】
この場合、カバーの遮蔽部材は、角度調整機構により傾斜角度を調整することができる。その結果、棚札表示器および無線交信器の位置関係に応じてカバーの遮蔽部材の角度を調整することができるので、棚札表示器を移動させた場合であっても、無線交信器からの光だけを有効に受信部に入光させることができる。
【００２５】
（８）
カバーは、受信部に対して遮蔽部材よりも外側から覆い、曲面からなる透明カバーをさらに含むことが望ましい。
【００２６】
この場合、カバーは、曲面からなる透明カバーをさらに含むので、透過窓に対する防塵効果を得ることができる。さらに曲面からなる透明カバーにより、埃、塵の蓄積を防止することができる。
【発明を実施するための最良の形態】
【００２７】
以下、本発明に係る実施の形態について図面を用いて説明する。本実施の形態においては、電気製品販売店舗における棚札表示器を用いたＥＳＬシステムについて具体例を挙げて説明する。
【００２８】
（一実施の形態）
図１は、本発明の一実施の形態に係る棚札表示器を用いたＥＳＬシステムの一例を示す模式的構成図である。
【００２９】
図１に示すように、棚札表示器を用いたＥＳＬシステム１００においては、ストアコントローラ２００、ＰＯＳ（Ｐｏｉｎｔ  ｏｆ  ｓａｌｅ）システム２１０、ターミナル（以下、ＴＡと呼ぶ。）３００、本部３１０、プリンタ４８０、ＥＳＬサーバ５００、トランシーバ５００ａ，５００ｂ、棚札表示器６００ａ，〜，６００ｆを含む。
また、図１のＰＯＳシステム２１０には、商品マスタ２１１およびＰＯＳレジスタ２１２を有する。
【００３０】
図１の棚札表示器６００ａ，〜，６００ｆを用いたＥＳＬシステム１００において、ストアコントローラ２００、ＰＯＳシステム２１０、ＴＡ３００、ＥＳＬサーバ５００およびプリンタ４８０は、ＬＡＮ（ローカルエリアネットワーク）等で接続されている。また、トランシーバ５００ａ，５００ｂは、ＥＳＬサーバ５００と直接的に接続されている。
【００３１】
また、図１のＥＳＬシステム１００において、ストアコントローラ２００およびＥＳＬサーバ５００は、一般的なコンピュータにより構成されている。また、ストアコントローラ２００は、ＥＳＬシステム１００における最上位の制御システムとして配置され、外部ネットワークに接続可能な機能を有する。例えば、当該機能は、商品販売店舗が系列店である場合に、当該外部ネットワークと接続されるＴＡ３００を通じて本部３１０のコンピュータと通信可能なものである。
【００３２】
また、図１に示したトランシーバ５００ａ，５００ｂおよび棚札表示器６００ａ，〜，６００ｆの間は、光を用いた通信、例えば、赤外線通信により相互通信または一方通信が可能に設けられている。なお、本実施の形態においては、赤外線通信により無線通信を行うこととしたが、これに限定されず、可視光線による通信、紫外線による通信、その他の任意の非接触通信等を用いてもよい。
さらに、棚札表示器６００ａ，〜，６００ｆ、トランシーバ５００ａ，５００ｂの個数を６個または２個であることとして説明しているが、これに限定されず、商品販売店舗の大きさおよび商品棚の個数に応じた他の任意の個数を設けてもよい。
【００３３】
続いて、図２は、図１に示したＥＳＬサーバ５００の概略構成の一例を示す模式的構成図である。
【００３４】
図２に示すように、ＥＳＬサーバ５００は、中央演算処理装置（以下、ＣＰＵと呼ぶ）５０１、基本プログラムを記憶するＲｅａｄ−Ｏｎｌｙ  Ｍｅｍｏｒｙ（以下ＲＯＭと呼ぶ）５０２、演算処理の作業領域であるＲａｎｄｏｍ  Ａｃｃｅｓｓ  Ｍｅｍｏｒｙ（以下、ＲＡＭと呼ぶ）５０３、プログラムや各種のデータファイルなどを記憶する記憶処理部５０４、ディスプレイからなる表示部５０５、キーボードおよびマウスなどで構成される入力部５０６、インターフェィス（以下、Ｉ／Ｆと呼ぶ。）５２０、データ通信機能を有する外部通信５３０からなる。
【００３５】
また、ＥＳＬサーバ５００のＣＰＵ５０１は、Ｉ／Ｆ５２０を介してトランシーバ５０
０ａ，５００ｂから各棚札表示器６００ａ，〜，６００ｆに対して光を用いた通信信号を送信する。ＣＰＵ５０１は、外部通信５３０を介してストアコントローラ２００およびＰＯＳシステム２１０とデータの送受信を行う。例えば、ＣＰＵ５０１は、外部通信５３０を介してＰＯＳシステム２１０の商品マスタ２１１から商品の情報を読み取り、記憶処理部５０４に記録された商品情報データ５１１に反映する。
【００３６】
続いて、図３は、図１に示した棚札表示器６００ａ，〜，６００ｆの構成の一例を示す模式的構成図である。
【００３７】
図３に示すように、主に棚札表示器６００ａ，〜，６００ｆは、それぞれ個々に制御部６７０、表示部６８０、記憶部６８１、送信部６９１および受信部６９２を有する。棚札表示器６００ａ，〜，６００ｆは、ドットマトリクス方式の電子棚札からなり、カラー表示およびモノクロ表示を選択可能なものである。なお、本実施の形態においては、ドットマトリクス方式の電子棚札を使用することとしたが、これに限定されず、セグメント方式による電子棚札、その他任意の電子棚札を用いてもよい。
【００３８】
制御部６７０は、トランシーバ５００ａ、５００ｂから受信部６９２を介して受け取った情報を記憶部６８１に記憶させ、表示部６８０に表示させる。例えば、制御部６７０は、棚札表示器６００ａ，〜，６００ｆの表示部６８０に商品の価格情報、特売価格、特売である旨、割引率、割引期間、製造メーカ名、製品番号、製品名および文字、記号、図形など各種の情報を表示させる。
【００３９】
続いて、図４は、棚札表示器６００ａ，〜，６００ｆを用いたＥＳＬシステム１００を販売店舗に適用した状態を示す平面概略図であり、図５は、図４の販売店舗におけるトランシーバ５００ａ，５００ｂおよび棚札表示器６００ａ，〜，６００ｆの配置状態を示す説明図である。
【００４０】
図４に示すように、販売店舗においては、入口８５１、出口８５２、プラズマテレビ売り場８６１、洗濯機売り場８６２、髭剃り売り場８６３、カメラ売り場８６４、パーソナルコンピュータ売り場８６５、プリンタ売り場８６６、複数のＰＯＳレジスタ２１２、バックルーム８７０等が配設されている。
【００４１】
また、図４において示す円の中にアルファベットの“Ｔ”のマーク（記号）は、トランシーバ５００ａ，５００ｂの配置状態を示す。すなわち、赤外線通信等の光を用いた通信は、人や物による障害で通信が不可能となる。そのため、トランシーバ５００ａ，５００ｂは、棚札表示器６００ａ，〜，６００ｆと赤外線通信によりデータの送受信が確実に行えるように商品販売店舗の天井に複数個、設けられている。
【００４２】
次いで、図５に示すように、図４のプラズマテレビ売り場８６１においては、プラズマテレビ９９０が対向して設けられており、プラズマテレビ９９０の表示部から赤外線ノイズＳＯが放射される。ここで、本発明に係る棚札表示器６００ａ，〜，６００ｆを用いることにより、赤外線ノイズＳＯを遮蔽しつつ、棚札表示器６００ａ，〜，６００ｆおよびトランシーバ５００ａ，５００ｂの間で確実に赤外線信号ＳＩを送受信することができる。以下、本発明に係る棚札表示器６００ａ，〜，６００ｆについて説明する。
【００４３】
図６は、本発明に係る棚札表示器６００ａ，〜，６００ｆの外観の一例を示す模式的斜視図であり、図７は、図６の棚札表示器６００ａ，〜，６００ｆの受信部６９２近傍を拡大した模式的拡大図である。
【００４４】
図６に示すように、棚札表示器６００ａ，〜，６００ｆには、前面に表示部６８０が配設され、当該表示部６８０の側部に受信部６９２が配設される。また、受信部６９２には、遮蔽カバー６２０が設けられる。以下、遮蔽カバー６２０の詳細について説明する。
【００４５】
図７に示すように、遮蔽カバー６２０は、傾斜部材６２１、一対の側板６２２，６２３から形成される。
遮蔽カバー６２０は、光を用いた通信を遮蔽する部材、すなわち、光を反射または吸収する部材からなる。例えば、反射することにより光を用いた通信を遮蔽する部材としては、ステンレス板、鏡面体または塗装された板材等があり、吸収することにより光を用いた通信を遮蔽する部材としては、窒化アルミ材等がある。遮蔽カバー６２０の内側は、反射部材からなる。
また、傾斜部材６２１の下端部は、受信部６９２の下端部よりも下側に取り付けられ、傾斜部材６２１の上端部は、受信部６９２の上端部と離間するように配される。一対の側板６２２，６２３は、鋭角の三角形状の板材からなり、傾斜部材６２１の離間された上端辺と、一対の側板６２２，６２３の各一辺により、開口部が形成される。
【００４６】
次に、遮蔽カバー６２０の効果について説明する。図８および図９は、遮蔽カバー６２０の効果を説明するための模式的説明図である。図８は、遮蔽カバー６２０の上方からの矢視状態を示し、図９は、遮蔽カバー６２０の断面の矢視状態を示す。
【００４７】
図８に示すように、遮蔽カバー６２０の上方には、傾斜部材６２１の上端辺と、一対の側板６２２，６２３の一辺により開口部が設けられており、天井に設けられたトランシーバ５００ａ，５００ｂからの赤外線信号ＳＩが、遮蔽カバー６２０内に入光され、傾斜部材６２１の内側に反射された後、または直接、受信部６９２に入光される。一方、プラズマテレビ９９０から放射された赤外線ノイズＳＯは、傾斜部材６２１の外側、一対の側板６２２，６２３の外側により受信部６９２の外部方向に反射され、受信部６９２に入光されない。
【００４８】
また、図９に示すように、遮蔽カバー６２０の傾斜部材６２１は、受信部６９２に対して角度θ傾斜して設けられている。その結果、同様に、天井に設けられたトランシーバ５００ａ，５００ｂからの赤外線信号ＳＩが、遮蔽カバー６２０内に入光され、傾斜部材６２１の内側に反射された後、受信部６９２に入光される。一方、プラズマテレビ９９０から放射された赤外線ノイズＳＯは、傾斜部材６２１の外側、一対の側板６２２，６２３の外側により受信部６９２の外部方向に反射され、受信部６９２に入光されない。
【００４９】
以上のように、本実施の形態に係る棚札表示器６００ａ，〜，６００ｆを用いたＥＳＬシステムにおいては、棚札表示器６００ａ，〜，６００ｆの受信部６９２に設けられた遮蔽カバー６２０の傾斜部材６２１の上端辺、および一対の側板６２２，６２３の各一辺により形成される開口部により、上方に設けられたトランシーバ５００ａ，５００ｂからの光を透過することができ、棚札表示器６００ａ，〜，６００ｆの受信部６９２の前面に設けられた遮蔽カバー６２０の傾斜部材６２１により、トランシーバ５００ａ，５００ｂ以外からの光を遮蔽することができる。例えば、プラズマテレビ９９０から放射された赤外線ノイズＳＯの光を遮蔽することができる。
【００５０】
そして、傾斜部材６２１および一対の側板６２２，６２３の内側は、光を反射する反射部材からなるので、上方に設けられたトランシーバ５００ａ，５００ｂからの光が傾斜部材６２１の内側に照射されて反射し、棚札表示器６００ａ，〜，６００ｆの受信部６９２に確実に入光させることができる。
【００５１】
このように、棚札表示器６００ａ，〜，６００ｆを用いたＥＳＬシステムにおいては、トランシーバ５００ａ，５００ｂからの光を用いた赤外線信号ＳＩを確実に受信でき、トランシーバ５００ａ，５００ｂ以外からの光（赤外線ノイズＳＯ）を遮蔽できるので、棚札表示器６００ａ，〜，６００ｆの表示部６８０に商品の価格表示等を確実に表示させることができる。
【００５２】
（他の例）
続いて、図１０は、図７に示した棚札表示器６００ａ，〜，６００ｆの受信部６９２近傍の他の例を拡大した模式的拡大図である。以下、主に図７の棚札表示器６００ａ，〜，６００ｆの受信部６９２近傍と異なる部分について説明を行う。
【００５３】
図１０に示すように、遮蔽カバー６２０ａは、傾斜部材６２１ａ，一対の側板６２２ａ，６２３ａから形成される。遮蔽カバー６２０ａは、光を用いた通信を遮蔽する部材、すなわち、光を反射または吸収する部材からなる。例えば、反射することにより光を用いた通信を遮蔽する部材としては、ステンレス板、鏡面体または塗装された板材等があり、吸収することにより光を用いた通信を遮蔽する部材としては、窒化アルミ材等がある。遮蔽カバー６２０ａの傾斜部材６２１ａの内側、一対の側板６２２ａ，６２３ａの内側は、反射部材からなり、傾斜部材６２１ａの外側、一対の側板６２２ａ，６２３ａの外側は、反射部材からなる。
また、傾斜部材６２１ａは、台形状の板材からなり、傾斜部材６２１ａの下端部は、受信部６９２の下端部よりも下側に取り付けられ、傾斜部材６２１ａの上端部は、受信部６９２の上端部と離間するように配される。傾斜部材６２１ａの上端辺と、一対の側板６２２ａ，６２３ａの各一辺により、開口部が形成されている。また、一対の側板６２２ａ，６２３ａは、鋭角の三角形状の板材からなる。
【００５４】
次に、図１０に示した遮蔽カバー６２０ａの効果について説明する。図１１および図１２は、遮蔽カバー６２０ａの効果を説明するための模式的説明図である。図１１は、遮蔽カバー６２０ａを上方から矢視した状態を示し、図１２は、遮蔽カバー６２０ａを斜視した状態を示す。
【００５５】
図１１に示すように、遮蔽カバー６２０ａの上方には、傾斜部材６２１ａの上端辺と、一対の側板６２２ａ，６２３ａの一辺により開口部が設けられており、天井に設けられたトランシーバ５００ａ，５００ｂからの赤外線信号ＳＩが、遮蔽カバー６２０ａ内に入光され、傾斜部材６２１ａの内側、一対の側板６２２ａ，６２３ａの内側により赤外線信号ＳＩが反射され、かつ集光され、受信部６９２に効率よく入光される。
一方、プラズマテレビ９９０から放射された赤外線ノイズＳＯは、傾斜部材６２１の外側、一対の側板６２２，６２３の外側により受信部６９２の外部方向に反射され、受信部６９２に入光されない。
【００５６】
また、図１２に示すように、遮蔽カバー６２０ａの傾斜部材６２１ａは、受信部６９２に対して角度θ傾斜して設けられている。それにより、天井に設けられたトランシーバ５００ａ，５００ｂからの赤外線信号ＳＩが、遮蔽カバー６２０内に入光され、傾斜部材６２１の内側、一対の側板６２２ａ，６２３ａの内側により赤外線信号ＳＩが反射され、かつ集光され、受信部６９２に入光される。
【００５７】
以上のように、本実施の形態に係る棚札表示器６００ａ，〜，６００ｆを用いたＥＳＬシステムにおいては、棚札表示器６００ａ，〜，６００ｆの受信部６９２に設けられた遮蔽カバー６２０ａの傾斜部材６２１ａの上端辺、および一対の側板６２２ａ，６２３ａの各一辺により形成される開口部により、上方に設けられたトランシーバ５００ａ，５００ｂからの光を透過することができ、棚札表示器６００ａ，〜，６００ｆの受信部６９２の前面に設けられた遮蔽カバー６２０ａの傾斜部材６２１ａ、および一対の側板６２２ａ，６２３ａにより、トランシーバ５００ａ，５００ｂ以外からの光を遮蔽することができる。例えば、プラズマテレビ９９０から放射された赤外線ノイズＳＯを遮蔽することができる。
【００５８】
そして、傾斜部材６２１ａ，一対の側板６２２ａ，６２３ａの内側は、光を反射する反射部材から形成されるので、上方に設けられたトランシーバ５００ａ，５００ｂからの光が、傾斜して設けられた傾斜部材６２１の内側および一対の側板６２２ａ，６２３ａの内側に照射されて集光するように反射し、棚札表示器６００ａ，〜，６００ｆの受信部６９２に入光される。
【００５９】
その結果、トランシーバ５００ａ，５００ｂからの赤外線信号ＳＩを確実に受信でき、トランシーバ５００ａ，５００ｂ以外からの光を遮蔽できるので、棚札表示器６００ａ，〜，６００ｆの表示部６８０に商品の価格表示等を確実に表示させることができる。
【００６０】
（さらに他の例）
次いで、図１３は、図１２に示した棚札表示器６００ａ，〜，６００ｆの受信部６９２のさらに他の例を示した模式的説明図である。
【００６１】
図１３に示す遮蔽カバー６２０ｂにおいては、傾斜部材６２１ｂ、一対の側板６２２ｂ，６２３ｂからなる。図１０の遮蔽カバー６２０ａと異なり、一対の側板６２２ｂ，６２３ｂの上端側、すなわち、傾斜部材６２１ｂよりも上方の部位に、透過部６２２ｂ１，６２３ｂ１が設けられている。これにより、棚札表示器６００ａ，〜，６００ｆおよびトランシーバ５００ａ，５００ｂとの配置が互いに斜め方向に位置される場合であっても、透過部６２２ｂ１，６２３ｂ１により光を受信部６９２に確実に入光させることができる。
【００６２】
以上のように、一対の側板６２２ｂ，６２３ｂは、傾斜部材６２１ｂの上端部よりも上方において、透過部６２２ｂ１，６２３ｂ１を含んでいるので、透過部６２２ｂ１，６２３ｂ１を設けない場合と比較して、斜上方から入光された光を一対の側板６２２ｂ，６２３ｂの透過部６２２ｂ１，６２３ｂ１を透過させて受信部６９２に導光させることができる。その結果、トランシーバ５００ａ，５００ｂからの入光量を増加させて確実な通信を行うことができ、棚札表示器６００ａ，〜，６００ｆの表示部６８０に商品の価格表示等を確実に表示させることができる。
【００６３】
（さらに他の例）
次いで、図１４は、図７、〜、図１３に示した棚札表示器６００ａ，〜，６００ｆの受信部６９２近傍のさらに他の例を示す模式的拡大図である。
【００６４】
図１４に示すように、遮蔽カバー６２０ｃは、曲面部材から形成されている。例えば、遮蔽カバー６２０ｃは、半円筒部材６２４からなる。遮蔽カバー６２０ｃは、光を用いた通信を遮蔽する部材、光を用いた通信を遮蔽する部材、すなわち、光を反射または吸収する部材からなる。例えば、反射することにより光を用いた通信を遮蔽する部材としては、ステンレス板、鏡面体または塗装された板材等があり、吸収することにより光を用いた通信を遮蔽する部材としては、窒化アルミ材等がある。遮蔽カバー６２０ｃの内側は、反射部材からなり、遮蔽カバー６２０ｃの内側は、反射部材からなる。この場合、半円筒部材６２４は、受信部６９２の上方から下方に移動するに連れて徐々に半円断面の直径が小さくなるように形成されている。
【００６５】
次に、遮蔽カバー６２０ｃの効果について説明する。図１５は、遮蔽カバー６２０ｃの効果を説明するための模式的説明図である。図１５は、遮蔽カバー６２０ｃを上方から矢視した状態を示す。
【００６６】
図１５に示すように、遮蔽カバー６２０ｃの上方には、半円筒部材６２４の上端辺により開口部が設けられており、天井に設けられたトランシーバ５００ａ，５００ｂからの赤外線信号ＳＩが、遮蔽カバー６２０ｃ内に入光され、半円筒部材６２４の内側により光が反射され、かつ円筒により集光され、受信部６９２に入光される。一方、プラズマテレビ９９０から放射された赤外線ノイズＳＯは、半円筒部材６２４の外側により受信部６９２の外部方向に反射され、受信部６９２に入光されない。
【００６７】
以上のように、遮蔽カバー６２０ｃが半円筒部材６２４から形成されるので、半円筒部材６２４の内側により確実な集光を行うことができる。その結果、トランシーバ５００ａ，５００ｂからの光を集光させて、確実な通信を行うことができ、棚札表示器６００ａ，〜，６００ｆの表示部６８０に商品の価格表示等を確実に表示させることができる。
【００６８】
（さらに他の例）
図１６は、図７、〜、図１５に示した棚札表示器６００ａ，〜，６００ｆの受信部６９２近傍のさらに他の例を示した模式的拡大図である。
【００６９】
図１６に示すように、棚札表示器６００ａ，〜，６００ｆの遮蔽カバー６２０の角度θを調整する角度調整機構６３５および上下移動するスライド機構６３６をさらに含む。
【００７０】
図１６に示す角度調整機構６３５を矢印Ｒ２の方向に回転させることにより、遮蔽カバー６２０の角度θが変化され、矢印Ｒ２１の方向に遮蔽カバー６２０が移動する。
また、スライド機構６３６を矢印Ｒ１の方向に回転させることにより、遮蔽カバー６２０が矢印Ｒ１１の方向に移動する。
【００７１】
なお、図１６においては、角度調整機構６３５およびスライド機構６３６を棚札表示器６００ａ，〜，６００ｆの受信部６９２近傍に内蔵させることとしたが、これに限定されず、他の任意の構造、例えば、ギアとバネ構造を有する構成を用いてもよい。また、遮蔽カバー６２０に角度調整機構６３５およびスライド機構６３６を適用することとしたが、これに限定されず、他の遮蔽カバーに適用してもよい。
【００７２】
以上のように、遮蔽カバー６２０は、スライド機構６３６により上下方向にスライドさせることができ、角度調整機構６３５により傾斜角度を調整することができる。
その結果、棚札表示器６００ａ，〜，６００ｆおよびトランシーバ５００ａ，５００ｂの相対的な位置関係を変更することによって、プラズマテレビ９９０から放射された赤外線ノイズＳＯが入光される場合でも、遮蔽カバー６２０の位置および角度を調整することにより、トランシーバ５００ａ，５００ｂの赤外線信号ＳＩのみを受信部６９２に入光させることができる。
【００７３】
（さらに他の例）
図１７は、図７、〜、図１６に示した棚札表示器６００ａ，〜，６００ｆの受信部６９２近傍のさらに他の例を示した模式的拡大図である。
【００７４】
図１７に示すように、棚札表示器６００ａ，〜，６００ｆの受信部６９２近傍の遮蔽カバー６２０の外側に、さらに防塵カバー６４０を備える。防塵カバー６４０は、開口部に落下し得る塵または埃、異物の混入を防止することができる。
また、防塵カバー６４０は、光を用いた通信を透過する透過部材からなり、例えば透明のアクリル樹脂等からなる。さらに、防塵カバー６４０は、曲面により形成されているので、埃、塵がたまりにくい。
【００７５】
以上のように、遮蔽カバー６２０は、防塵カバー６４０をさらに外側に備えるので、開口部に対する防塵効果を得ることができる。
【００７６】
（さらに他の例）
最後に、図１８および図１９は、図７、〜、図１７に示した棚札表示器６００ａ，〜，６００ｆの受信部６９２近傍のさらに他の例を示した模式的拡大図である。
【００７７】
図１８に示す棚札表示器６００ａ，〜，６００ｆは、角度調整機構６３７をさらに含む。
【００７８】
図１８に示すように、角度調整機構６３７を矢印Ｒ３の方向に回転させることにより、受信部６９２Ｔが、図１８から図１９に示すように、受信部６９２Ｔの上端辺を軸として、矢印Ｒ３１の方向に突出する。それにより、プラズマテレビ９９０から放射された赤外線ノイズＳＯを遮蔽し、天井のトランシーバ５００ａ，５００ｂからの赤外線信号ＳＩのみを入光させることができる。
【００７９】
以上のように、角度調整機構６３７により受信部６９２Ｔの方向を変化させることができるので、棚札表示器６００ａ，〜，６００ｆおよびトランシーバ５００ａ，５００ｂの相対的な位置関係を変更することによって、プラズマテレビ９９０から放射された赤外線ノイズＳＯが入光される場合でも、受信部６９２Ｔの受信方向を調整することにより、トランシーバ５００ａ，５００ｂの赤外線信号ＳＩのみを受信部６９２に入光させることができる。
【００８０】
なお、上記の実施の形態においては、遮蔽カバー６２０の外側を反射部材からなる場合について説明したが、これに限定されず、吸収部材からなってもよい。さらに、プラズマテレビ９９０から放射された赤外線ノイズＳＯについて説明したが、これに限定されず、トランシーバ５００ａ，５００ｂ以外の赤外線信号であってもよい。
【００８１】
上記実施の形態においては、トランシーバ５００ａ，５００ｂが無線交信器に相当し、棚札表示器６００ａ，〜，６００ｆが棚札表示器に相当し、表示部６８０が表示部に相当し、受信部６９２が受信部に相当し、傾斜部材６２１および一対の側板６２２，６２３が遮蔽部材または反射部材に相当し、傾斜部材６２１の上端辺および一対の側板６２２，６２３の各一辺が透過窓に相当し、遮蔽カバー６２０，６２０ａ，６２０ｂ，６２０ｃがカバーに相当し、一対の側板６２２，６２３が一対の遮蔽側板に相当し、透過部６２３ｂ１が透過部に相当し、スライド機構６３６がスライド機構に相当し、角度調整機構６３５が角度調整機構に相当し、防塵カバー６４０が透明カバーに相当する。
【００８２】
本発明の好ましい上記実施の形態は上記の通りであるが、本発明はそれだけに制限されない。本発明の精神と範囲から逸脱することのない様々な実施形態が他になされることは理解されよう。また、本実施形態において、本発明の構成による作用および効果を述べているが、これら作用および効果は、一例であり、本発明を限定するものではない。
【図面の簡単な説明】
【００８３】
【図１】本発明の一実施の形態に係る棚札表示器を用いたＥＳＬシステムの一例を示す模式的構成図
【図２】図１に示したＥＳＬサーバの概略構成の一例を示す模式的構成図
【図３】図１に示した棚札表示器の構成の一例を示す模式的構成図
【図４】棚札表示器を用いたＥＳＬシステムを販売店舗に適用した状態を示す平面概略図
【図５】図４の販売店舗におけるトランシーバおよび棚札表示器の配置状態を示す説明図
【図６】本発明に係る棚札表示器の外観の一例を示す模式的斜視図
【図７】図６の棚札表示器の受信部近傍を拡大した模式的拡大図
【図８】遮蔽カバーの効果を説明するための模式的説明図
【図９】遮蔽カバーの効果を説明するための模式的説明図
【図１０】図７に示した棚札表示器の受信部近傍の他の例を拡大した模式的拡大図
【図１１】遮蔽カバーの効果を説明するための模式的説明図
【図１２】遮蔽カバーの効果を説明するための模式的説明図
【図１３】図１２に示した棚札表示器の受信部のさらに他の例を示した模式的説明図
【図１４】図７、〜、図１３に示した棚札表示器の受信部近傍のさらに他の例を示す模式的拡大図
【図１５】遮蔽カバーの効果を説明するための模式的説明図
【図１６】図７〜図１５に示した棚札表示器の受信部近傍のさらに他の例を示した模式的拡大図
【図１７】図７〜図１６に示した棚札表示器の受信部近傍のさらに他の例を示した模式的拡大図
【図１８】図７〜図１７に示した棚札表示器の受信部近傍のさらに他の例を示した模式的拡大図
【図１９】図７〜図１７に示した棚札表示器の受信部近傍のさらに他の例を示した模式的拡大図
【図２０】販売店舗におけるトランシーバおよび棚札表示器の配置状態を示す説明図
【符号の説明】
【００８４】
５００ａ，５００ｂ  トランシーバ
６００ａ，〜，６００ｆ  棚札表示器
６２０，６２０ａ，６２０ｂ，６２０ｃ  遮蔽カバー
６２１  傾斜部材
６２２，６２３  一対の側板
６２２ｂ１，６２３ｂ１  透過部
６３５  角度調整機構
６３６  スライド調整機構
６４０  防塵カバー
６８０  表示部
６９２  受信部
【図１】
2010069056.tif 000003
【図２】
2010069056.tif 000004
【図３】
2010069056.tif 000005
【図４】
2010069056.tif 000006
【図５】
2010069056.tif 000007
【図６】
2010069056.tif 000008
【図７】
2010069056.tif 000009
【図８】
2010069056.tif 000010
【図９】
2010069056.tif 000011
【図１０】
2010069056.tif 000012
【図１１】
2010069056.tif 000013
【図１２】
2010069056.tif 000014
【図１３】
2010069056.tif 000015
【図１４】
2010069056.tif 000016
【図１５】
2010069056.tif 000017
【図１６】
2010069056.tif 000018
【図１７】
2010069056.tif 000019
【図１８】
2010069056.tif 000020
【図１９】
2010069056.tif 000021
【図２０】
2010069056.tif 000022